(57)【特許請求の範囲】
【請求項１】
それぞれ径の異なる複数の中空の単位ポールを互いに相対移動可能に嵌め合わせ、最大径または最小径の単位ポールの一方が固定されて、他方が先端となるように駆動装置により伸長および短縮自在とされた伸縮ポールにおいて、前記駆動装置により駆動されて単位ポール内に進退可能なチャックチェーンの一端を先端となる単位ポールの内に取付けるとともに、固定された単位ポールの固定端側になる各単位ポールの端部近傍のみに、前記チャックチェーンが摺動した状態で挿通されることで前記チャックチェーンの外周を位置決めする開口を有する位置決め具を設け、この位置決め具により単位ポール内の前記チャックチェーンをほぼ直線状に維持可能としたことを特徴とする伸縮ポール。
【請求項２】
各単位ポールの外面に上限止め材、内面に摺動リングをそれぞれ設け、上段の単位ポールが上昇するとこの単位ポールの上限止め材が、下段の単位ポールの前記摺動リングに当たって連結されることで、単位ポールを順次持ち上げることを可能とした請求項１記載の伸縮ポール。
【請求項３】
チャックチェーンを構成する分離可能な一対のチェーン部を噛み合わせて単位ポール内に進入させる駆動部と、この駆動部からポール側面へ出た一対のチェーン部を収納するチェーン収納部とを設けた請求項１記載の伸縮ポール。
【請求項４】
各単位ポールの対向する面に相互に係合する柱回転止め材を設けた請求項１記載の伸縮ポール。
【請求項５】
各単位ポールの伸長方向の端部に下限止め板を設け、上段の単位ポールの前記下限止め板で下段の単位ポールの上端を押し下げることを可能とした請求項１または２記載の伸縮ポール。
【請求項６】
先端となる単位ポールに照明器具を取付けた請求項１，２，３，４または５記載の伸縮ポール。
【発明の詳細な説明】
【０００１】
【発明の属する技術分野】
この発明は、照明器具等を取付けた伸縮ポールに関するものである。
【０００２】
【従来の技術】
従来、この種の伸縮ポールとしては、例えば実開昭６３−１８８８１１号公報に記載された伸縮自在形照明装置に示されている。この従来例では、径の異なる複数本の管体を構成してなるテレスコープ形の支柱と、支柱を昇降する可撓性コイルと、支柱を支持し可撓性コイルを収納する基体等を備えている。可撓性コイルはその一端が内端の支柱に接続され、支柱の伸縮に伴って上下動するように構成してある。支柱に支持された照明灯を上昇する際には、可撓性コイルを歯車により押し上げることによって支柱を順次上昇させている。
【０００３】
【発明が解決しようとする課題】
しかしながら、上記従来例では下記の問題点がある。すなわち、可撓性コイルが伸び縮みするため、縮める時に何かに引っ掛かると衝撃的に縮み、ポールに取付けたものを破損する恐れがある。また、可撓性コイルの直線状を維持することは困難で、特にポールの高さが高いと可撓性コイルが座屈し安定した動作が得られない。また、可撓性コイルに構造上不都合な箇所があると全体を取り替える必要がある。さらに、コイルを上下させる歯車が小さいため、ポール上昇時または下降時にポールがずれ落ちたりするとともに、ごみやほこりが溜まると動作不能になる。
【０００４】
したがって、この発明の目的は、上記問題点を解決するものでポールの伸縮時に段落ちや滑りが発生しない伸縮ポールを提供することである。
【０００５】
【課題を解決するための手段】
上記課題を達成するためにこの発明の請求項１記載の伸縮ポールは、それぞれ径の異なる複数の中空の単位ポールを互いに相対移動可能に嵌め合わせ、最大径または最小径の単位ポールの一方が固定されて、他方が先端となるように駆動装置により伸長および短縮自在とされた伸縮ポールにおいて、前記駆動装置により駆動されて単位ポール内に進退可能なチャックチェーンの一端を先端となる単位ポールの内に取付けるとともに、固定された単位ポールの固定端側になる各単位ポールの端部近傍のみに、前記チャックチェーンが摺動した状態で挿通されることで前記チャックチェーンの外周を位置決めする開口を有する位置決め具を設け、この位置決め具により単位ポール内の前記チャックチェーンをほぼ直線状に維持可能とした。
【０００６】
このように、駆動装置により駆動されて単位ポール内に進退可能なチャックチェーンの一端を先端となる単位ポールの内に取付けたので、チャックチェーンをスプロケットと組み合わせることで的確に噛み合い、ポールの伸縮時に段落ちや滑りが発生しない。また、固定された単位ポールの固定端側になる各単位ポールの端部近傍のみに、前記チャックチェーンが摺動した状態で挿通されることで前記チャックチェーンの外周を位置決めする開口を有する位置決め具を設け、この位置決め具により単位ポール内の前記チャックチェーンをほぼ直線状に維持可能としたので、ポールの設置方向は垂直方向だけでなく、水平取付、斜め取付、吊り下げ取付等、方向にとらわれず、使用制限がない。また、チェーンの構造上不都合な箇所の交換が１ピッチ毎に可能である。また、チェーンの座屈を防止できチェーンの長さを長くすることができる。
【０００７】
請求項２記載の伸縮ポールは、請求項１において、各単位ポールの外面に上限止め材、内面に摺動リングをそれぞれ設け、上段の単位ポールが上昇するとこの単位ポールの上限止め材が、下段の単位ポールの前記摺動リングに当たって連結されることで、単位ポールを順次持ち上げることを可能とした。このように、上段の単位ポールが上昇するとこの単位ポールの上限止め材が、下段の単位ポールの摺動リングに当たって連結されることで、単位ポールを順次持ち上げることを可能としたので、先端となる単位ポールから下側の単位ポールを順次持ち上げてポールを伸長させることができる。
【０００８】
請求項３記載の伸縮ポールは、請求項１において、チャックチェーンを構成する分離可能な一対のチェーン部を噛み合わせて単位ポール内に進入させる駆動部と、この駆動部から単位ポールの側面へ出た一対のチェーン部を収納するチェーン収納部とを設けた。このように、チャックチェーンを構成する分離可能な一対のチェーン部を噛み合わせて単位ポール内に進入させる駆動部と、この駆動部から単位ポールの側面へ出た一対のチェーン部を収納するチェーン収納部とを設けたので、チャックチェーンは駆動部により一対のチェーン部が噛み合って柱状になって延びていく。また、一対のチェーン部を単位ポールの側面へ出すことで、駆動部を地面近傍に設置できるため、メンテナンスが容易になる。また、チェーン収納部は、ポール側面から出たチェーンを反転させて下方向まで任意の位置に取付けられる。
【００１０】
請求項４記載の伸縮ポールは、請求項１において、各単位ポールの対向する面に相互に係合する柱回転止め材を設けた。このように、各単位ポールの対向する面に相互に係合する柱回転止め材を設けたので、チャックチェーン自身にも回転防止機能があり、柱回転止め材と併用することで、ポールの回転防止に優れている。
【００１１】
請求項５記載の伸縮ポールは、請求項１または２において、各単位ポールの伸長方向の端部に下限止め板を設け、上段の単位ポールの前記下限止め板で下段の単位ポールの上端を押し下げることを可能とした。このように、各単位ポールの伸長方向の端部に下限止め板を設け、上段の単位ポールの下限止め板で下段の単位ポールの上端を押し下げることを可能としたので、ポールの設置方向にとらわれず下限止め板が各柱を押し下げて下降する。ポール設置方向が垂直方向の場合は、請求項２において上段の単位ポールが下がると同時に各柱も上限止め材が摺動リングから離れるまで自重で下降し、さらに下限止め板で各柱を押し下げることができる。
【００１２】
請求項６記載の伸縮ポールは、請求項１，２，３，４または５において、先端となる単位ポールに照明器具を取付けた。このように、先端となる単位ポールに照明器具を取付けたので、照明用ポールとして上記の作用効果が得られる。
【００１３】
【発明の実施の形態】
この発明の実施の形態の伸縮ポールを図１ないし図１３に基づいて説明する。図１はこの発明の実施の形態の伸縮ポールの伸長状態の正面図、図２はその伸縮ポールの短縮状態の正面図、図３（ａ）はこの発明の実施の形態の伸長ポールの上昇時の要部断面図、（ｂ）はその横断面図、（ｃ）は上限止め材の取付けを示す説明図、図４（ａ）はこの発明の実施の形態の伸長ポールの下降時の要部断面図、（ｂ）はその横断面図、（ｃ）は下限止め材の取付けを示す説明図、図５はチェーン摺動材の一部断面正面図、（ｂ）はその平面図、図６はこの実施の形態のチャックチェーンと駆動部の底面図、図７はこの実施の形態のチャックチェーンと駆動部の正面図、図８（ａ）はチャックチェーンの一端の取付構造を示す正面図、（ｂ）はその側面図、図９はこの実施の形態のチェーン収納部の正面図である。
【００１４】
図１および図２に示すように、それぞれ径の異なる複数の中空の単位ポール１を互いに相対移動可能に嵌め合わせ、最大径の単位ポール１ａが固定されて、最小径の単位ポール１ｂが先端となるように駆動装置により伸長および短縮自在とされている。また、駆動装置により駆動されて単位ポール１内に進退可能なチャックチェーン２の一端を先端となる単位ポール１ｂの内に取付けるとともに、固定された単位ポール１ａの固定端側になる各単位ポール１の端部近傍にチャックチェーン２の外周の位置決め具を設け、この位置決め具により単位ポール１内のチャックチェーン２をほぼ直線状に維持可能とした。
【００１５】
駆動装置は、図６および図７に示すように、（株）椿本チェーン製のチャックチェーン機構を利用する。この機構は歯車（スプロケット）３およびプーリ４を設けた駆動部５を有し、モータ６の回転により歯車３を回転させ、それに連動したプーリ４を回転させ、チャックチェーン２を構成する分離可能な一対のチェーン部２ａを噛み合わせて伸縮させる。この場合、右側、左側のチェーン部２ａが噛み合い、柱状になって伸びていき単位ポール１内に進入させる機構である。９はリミットスイッチである。また、図９に示すように、駆動装置は単位ポール１ａを固定したポール基台７に設置され、駆動部５からポール基台７の側面へ出た一対のチェーン部２ａはチェーン収納部８に収納される。チェーン収納部８はポール側面から反転させ下方向まで任意の位置に取付けられる。なお、同図では一方のチェーン部２ａのチェーン収納部８だけを示し他方のチェーン部２ａのチェーン収納部をを省略している。
【００１６】
また、図３に示すように、各単位ポール１に、摺動リング１０、上限止め材１１、位置決め具であるチェーン摺動材１２、柱回転止め材１３、下限止め材１４を装着している。上限止め材１１は各単位ポール１の下端近傍の外面に配置され、摺動リング１０は各単位ポール１の上端近傍の内面に配置されている。この場合、鉄鋼等で筒状に形成されたポール本体２０の内面に鍔部を有する摺動リング１０を嵌合固定し、下段の単位ポール１の摺動リング１０の内面に上段の単位ポール１が摺動して嵌挿される。また、ポール本体２０の外面に４分割された上限止め材１１を嵌合固定し、上段の単位ポール１が上昇するとこの単位ポール１の上限止め材１１が、下段の単位ポール１の摺動リング１０に当たって連結されることで、単位ポール１を順次持ち上げることができる。
【００１７】
柱回転止め材１３は、各単位ポール１の対向する面に相互に係合するように設けてある。この場合、柱回転止め材１３は角棒と溝で構成され、ポール本体の１ａの外面に軸周りに９０°ずつずらして角棒を設け、これに嵌合する溝を摺動リング１０に設けている。チェーン摺動材１２は各単位ポール１の下端に設けてあり、チャックチェーン２を直線状に維持するとともに座屈を防止する。このチェーン摺動材１２は、図５に示すように、チャックチェーン２を挿通して位置決めする開口１５が設けてあり、ポール本体２０の下端に嵌合してボルト固定するためのボルト挿通孔１４が設けてある。また、チャックチェーン２を各単位ポール１に送るために、ポール基台７の天板にもチェーン摺動材が設けてある（図示せず）。なお、単位ポール１は、チェーン摺動材１２によりチャックチェーン２がほぼ直線状を維持可能な長さとする。下限止め材１４は、図４に示すように、各単位ポール１の伸長方向の端部に設けている。この場合、ポール本体２０の外面に２分割された下限止め材１４を摺動リング１０の鍔部にねじ止めし、上段の単位ポール１の下限止め板１４で下段の単位ポール１の上端を押し下げることができる。
【００１８】
また、図８に示すように、チャックチェーン２の上端と先端となる単位ポール１ｂの下端は、連結部材２１の両端にそれぞれピン２２により接合してあり、チャックチェーン２の進退に伴って単位ポール１ａが昇降する。
【００１９】
次にこの伸縮ポールの動作について説明する。ポールを伸長させる場合は、チャックチェーン２の上端を上記のように先端となる第１の単位ポール１ｂに取付け、駆動部５を駆動してチャックチェーン２を上昇させる。第１の単位ポール１ｂが上昇すると、図３に示すように第１の単位ポール１ｂにある上限止め材１１がその下の第２の単位ポール１の摺動リング１０に当たり第２の単位ポール１を持ち上げる。このとき、チャックチェーン２は各単位ポール１の下端に設けたチェーン摺動材１２を摺動することで直線状に保持される。以下、同様にして第２の単位ポール１の下の第３の単位ポール１から固定された単位ポール１ａの上の第５の単位ポール１まで持ち上げてポールを伸長させる。
【００２０】
ポールを短縮させる場合は、駆動部５を逆方向に駆動してチャックチェーン２を下降させることにより、第１の単位ポール１ｂは下がる。第１の単位ポール１ｂが下がると同時に各単位ポール１も上限止め材１１が摺動リング１０から離れるまで自重で下降する。さらに図４に示すように、各単位ポール１の下限止め材１４が各単位ポール１を押し下げて下降する。
【００２１】
また、図１０（ａ）はこの実施の形態の伸縮ポールを用いた照明ポールの伸長状態の正面図、（ｂ）はその投光器の側面図、図１１は照明ポールの短縮状態の正面図、図１２はその側面図、図１３（ａ），（ｂ）は取付け前の投光器の側面図である。図１０に示すように、単位ポール１ｂの先端に固定したフレーム２５に投光器２６が取付けてある。この場合、投光器２６をフレーム２５の上側と下側に取付けてあり、図１３に示すように下側の投光器２６の下側にさらにフレーム２７にて支持された投光器２８を取付けてある。また、図１１に示すように、チェーン収納部８の近傍に安定器収納盤２９、制御盤３０が設けてある。
【００２２】
以上のようにこの実施の形態によれば、チャックチェーン２をスプロケットと組み合わせることで的確に噛み合い、ポールの伸縮時に段落ちや滑りが発生しない。また、ポールの設置方向は垂直方向だけでなく、水平取付、斜め取付、吊り下げ取付等、方向にとらわれず、使用制限がない。また、チェーンの構造上不都合な箇所の交換が１ピッチ毎に可能である。また、ポールの意匠、形状にとらわれず、強度のみを考慮して寸法、形状を決定できる。
【００２３】
また、一対のチェーン部２ａを単位ポール１の側面へ出すことで、駆動部５、制御部（操作盤）、安定器取付部を地面近傍に設置できるため、メンテナンスが容易になる。また、チェーン収納部８は、ポール側面から出たチェーンを反転させて下方向まで任意の位置に取付けられる。また、各単位ポール１の対向する面に相互に係合する柱回転止め材１３を設けたので、チャックチェーン２自身にも回転防止機能があり、柱回転止め材１３と併用することで、ポールの回転防止に優れている。
【００２４】
なお、ポールの段数は何段でもよく、投光器以外の照明器具等を取付けてもよい。
【００２５】
【発明の効果】
この発明の請求項１記載の伸縮ポールによれば、駆動装置により駆動されて単位ポール内に進退可能なチャックチェーンの一端を先端となる単位ポールの内に取付けたので、チャックチェーンをスプロケットと組み合わせることで的確に噛み合い、ポールの伸縮時に段落ちや滑りが発生しない。また、固定された単位ポールの固定端側になる各単位ポールの端部近傍のみに、前記チャックチェーンが摺動した状態で挿通されることで前記チャックチェーンの外周を位置決めする開口を有する位置決め具を設け、この位置決め具により単位ポール内の前記チャックチェーンをほぼ直線状に維持可能としたので、ポールの設置方向は垂直方向だけでなく、水平取付、斜め取付、吊り下げ取付等、方向にとらわれず、使用制限がない。また、チェーンの構造上不都合な箇所の交換が１ピッチ毎に可能である。また、チェーンの座屈を防止できチェーンの長さを長くすることができる。
【００２６】
請求項２では、上段の単位ポールが上昇するとこの単位ポールの上限止め材が、下段の単位ポールの摺動リングに当たって連結されることで、単位ポールを順次持ち上げることを可能としたので、先端となる単位ポールから下側の単位ポールを順次持ち上げてポールを伸長させることができる。
【００２７】
請求項３では、チャックチェーンを構成する分離可能な一対のチェーン部を噛み合わせて単位ポール内に進入させる駆動部と、この駆動部から単位ポールの側面へ出た一対のチェーン部を収納するチェーン収納部とを設けたので、チャックチェーンは駆動部により一対のチェーン部が噛み合って柱状になって延びていく。また、一対のチェーン部を単位ポールの側面へ出すことで、駆動部を地面近傍に設置できるため、メンテナンスが容易になる。また、チェーン収納部は、ポール側面から出たチェーンを反転させて下方向まで任意の位置に取付けられる。
【００２９】
請求項４では、各単位ポールの対向する面に相互に係合する柱回転止め材を設けたので、チャックチェーン自身にも回転防止機能があり、柱回転止め材と併用することで、ポールの回転防止に優れている。
【００３０】
請求項５では、各単位ポールの伸長方向の端部に下限止め板を設け、上段の単位ポールの下限止め板で下段の単位ポールの上端を押し下げることを可能としたので、ポールの設置方向にとらわれず下限止め板が各柱を押し下げて下降する。ポール設置方向が垂直方向の場合は、請求項２において上段の単位ポールが下がると同時に各柱も上限止め材が摺動リングから離れるまで自重で下降し、さらに下限止め板で各柱を押し下げることができる。
【００３１】
請求項６では、先端となる単位ポールに照明器具を取付けたので、照明用ポールとして上記の作用効果が得られる。
【図面の簡単な説明】
【図１】この発明の実施の形態の伸縮ポールの伸長状態の正面図である。
【図２】図１の伸縮ポールの短縮状態の正面図である。
【図３】（ａ）はこの発明の実施の形態の伸長ポールの上昇時の要部断面図、（ｂ）はその横断面図、（ｃ）は上限止め材の取付けを示す説明図である。
【図４】（ａ）はこの発明の実施の形態の伸長ポールの下降時の要部断面図、（ｂ）はその横断面図、（ｃ）は下限止め材の取付けを示す説明図である。
【図５】（ａ）はチェーン摺動材の一部断面正面図、（ｂ）はその平面図である。
【図６】この実施の形態のチャックチェーンと駆動部の底面図である。
【図７】この実施の形態のチャックチェーンと駆動部の正面図である。
【図８】（ａ）はチャックチェーンの一端の取付構造を示す正面図、（ｂ）はその側面図である。
【図９】この実施の形態のチェーン収納部の正面図である。
【図１０】（ａ）はこの実施の形態の伸縮ポールを用いた照明ポールの伸長状態の正面図、（ｂ）はその投光器の側面図である。
【図１１】照明ポールの短縮状態の正面図である。
【図１２】図１１の側面図である。
【図１３】（ａ），（ｂ）は取付け前の投光器の側面図である。
【符号の説明】
１，１ａ，１ｂ  単位ポール
２  チャックチェーン
２ａ  チェーン部
５  駆動部
８  チェーン収納部
１０  摺動リング
１１  上限止め材
１２  チェーン摺動材
１３  柱回転止め材
１４  下限止め材
【図１】
0003875445.tif 000002
【図２】
0003875445.tif 000003
【図３】
0003875445.tif 000004
【図４】
0003875445.tif 000005
【図５】
0003875445.tif 000006
【図６】
0003875445.tif 000007
【図７】
0003875445.tif 000008
【図８】
0003875445.tif 000009
【図９】
0003875445.tif 000010
【図１０】
0003875445.tif 000011
【図１１】
0003875445.tif 000012
【図１２】
0003875445.tif 000013
【図１３】
0003875445.tif 000014